(57)【要約】【課題】  見通しの悪い道路において、渋滞、対向車が接近する場合等に、警告をより明瞭に表示することができ、かつ、きわめて簡易に設置することのできる路側信号灯及び路側信号灯システムを実現する。【解決手段】  路側表示灯を、発光ダイオードを用いた表示部と、制御信号を受信する無線受信機と太陽電池及び二次電池を用いた電源部とから構成すし、配線を不要とする。送信部は、道路上での渋滞、対向車の接近等を感知して、路側に多数設けられる前記路側信号灯へ表示部の発光パターンを切換えさせる制御信号を発信する。作動させる路側信号灯は、電波の周波数、送信出力及び／又はアンテナの指向性により選択する。【選択図】  図１
2005092306.tif 000002
【特許請求の範囲】
【請求項１】
発光ダイオードを用い、少なくとも２種類の発光パターンを有する表示部と、制御信号を受信する無線受信機を有し、前記表示部の発光パターンを切換えさせる制御部と、太陽電池及び二次電池を有し、前記表示部及び制御部に電源を供給する電源部とからなる路側信号灯。
【請求項２】
請求項１において、
制御部が、制御信号から、その路側信号灯への信号のみを識別するする識別機能を有する路側信号灯。
【請求項３】
請求項２において、
制御部の無線受信機が、無線ページャ、携帯電話等の公共無線通信を用いる路側信号灯。
【請求項４】
請求項１，２又は３において、
無線受信機で受信した制御信号を、他の近接する路側信号灯へ転送する送信機を有する路側信号灯。
【請求項５】
請求項１，２又は４の路側信号灯と、
道路上での渋滞、対向車の接近等を感知して、前記路側信号灯へ表示部の発光パターンを切換えさせる制御信号を発信し、かつ、周波数、送信出力及び／又はアンテナの指向性により選択した路側信号灯へ送信するよう設定された送信部
から構成される路側信号灯システム。
【請求項６】
請求項２，３又は４の路側信号灯と、
道路上での渋滞、対向車の接近等を感知して、前記路側信号灯へ表示部の発光パターンを切換えさせる制御信号を発信し、かつ、識別機能を用いて選択した路側信号灯のみに作動をさせるよう設定された送信部
から構成される路側信号灯システム。
【発明の詳細な説明】
【技術分野】
【０００１】
本発明は、高速道路、自動車専用道路、山間部等の見通しの悪い道路等において、交通渋滞がある場合、幅員の狭い道路で対向車が接近する場合等に、事前に警告を発することのできる路側信号灯及び路側信号灯システムに関する。
【背景技術】
【０００２】
山間部等の見通しの悪い道路において、路側を明確に示すため、ガードレール等に、反射板等を設置することが行われている。さらに、対向車がある場合等に、この反射板を利用して、警告を表示するようにした装置が提案されている（特許文献１参照）。しかし、この装置は、対向車等を検出する部分と各反射板が配線により一体的に結合していなければならないため、必然的に大規模なシステムとなり、設置にも維持にも多大な費用を要し、実施は容易でない。
【０００３】
【特許文献１】特許第２９５３５６８号公報
【発明の開示】
【発明が解決しようとする課題】
【０００４】
そこで、本発明は、見通しの悪い道路において、渋滞、対向車が接近する場合等に、警告をより明瞭に表示することができ、かつ、きわめて簡易に設置することのできる路側信号灯を実現することを目的としたものである。さらに、この路側信号灯を用いて、より簡易にシステム全体を構成することができるようにすることをも目的としている。
【課題を解決するための手段】
【０００５】
本発明は、発光ダイオードを用い、少なくとも２種類の発光パターンを有する表示部と、制御信号を受信する無線受信機を有し、前記表示部の発光パターンを切換えさせる制御部と、太陽電池び二次電を有し、前記表示部及び制御部に電源を供給する電源部とからなる路側信号灯である。
【０００６】
さらに、この制御部は、制御信号から、その路側信号灯への信号のみを識別するする識別機能を有するものとしてもよい。そして、この制御部の無線受信機が、無線ページャ、携帯電話等の公共無線通信を用いるようにすることもできる。
【０００７】
また、上記路側信号灯において、無線受信機で受信した制御信号を、他の近接する路側信号灯へ転送する送信機を有するようにしてもよい。
【０００８】
本発明は、上記路側信号灯と、道路上での渋滞、対向車の接近等を感知して、前記路側信号灯へ表示部の発光パターンを切換えさせる制御信号を発信し、かつ、周波数、送信出力及び／又はアンテナの指向性により選択した路側信号灯へ送信するよう設定された送信部から構成される路側信号灯システムを包含する。
【０００９】
さらに本発明は、上記路側信号灯と、道路上での渋滞、対向車の接近等を感知して、前記路側信号灯へ表示部の発光パターンを切換えさせる制御信号を発信し、かつ、識別機能を用いて選択した路側信号灯のみに作動をさせるよう設定された送信部
から構成される路側信号灯システムを含む。
【発明の効果】
【００１０】
本発明の路側信号灯は、電源に、太陽電池、二次電池を用い、制御信号を無線により受けるので、配線を皆無とすることができ、設置、維持はきわめて簡易となる。
【００１１】
さらに、制御部が識別機能を有するものとすると、多数の路側信号灯を設置しても、それぞれをきめ細かく多様に作動させることができる。また、無線ページャ、携帯電話等の公共無線通信を用いると、周波数割り当てを得たり、無線局を開設するための煩雑な手続きが、不要となり、かつ、無線機自体に量産されている安価なものが使用できるので、本発明の実施が著しく容易となる。
【００１２】
また、制御信号を、他の近接する路側信号灯へ転送する中継機能を有するものとすると、より一層多様な作動が可能となる。
【発明を実施するための最良の形態】
【００１３】
以下に、本発明を実施例について詳しく説明する。
【実施例１】
【００１４】
図１，２に本発明の第１実施例の路側信号灯１０を示し、図２にこの路側信号灯１０，…を用いて構成された本発明の第１実施例の路側信号灯システム２０を示す。
【００１５】
この路側信号灯１０は、正面に発光ダイオードを用いた表示部１１を有する。この表示部１１は、消灯状態、橙色点滅状態及び赤色急速点滅状態の３種類の発光パターンを有し、これらは昼間の平常時、夜間の平常時、警報時にそれぞれ対応する。路側信号灯内には、制御信号を受信する無線受信機を有し、表示部１１の前記発光パターンを切換えさせる制御部（図示しない）が内蔵されている。さらに上部には太陽電池１２、内部に二次電池（図示しない）を有し、前記表示部１１及び制御部に電源を供給する電源部が設けられている。
【００１６】
なお、前記発光パターンは、他のものとすることも可能であり、平常時、警報時を容易に識別できるものであれば任意である。
【００１７】
この路側信号灯システム２０では、複数の路側信号灯１０，…が見通しの悪い道路に沿って、例えばガードレールに取付けて設置される。
【００１８】
これらの路側信号灯１０，…の前方に、送信部２１が設置される。この送信部２１は、道路上での渋滞、対向車の接近等を感知するセンサを有し、これらを感知したとき、路側信号灯１０，…へ表示部の発光パターンを平常時から警報時へ切換えさせる制御信号を発信する。そして、この発信される電波は、周波数、送信出力及び／又はアンテナの指向性により選択した所定の路側信号灯１０，…のみへ送信されるよう設定されている。前記センサは、必要に応じて渋滞や対向車を検知するものであって、具体的構成は任意である。例えば、電波あるいは超音波を発し、その反射の有無、ドップラー効果を検出して、自動車の有無あるいは速度を検出し、渋滞や対向車を判別するものが使用できる。制御信号の発信に使用する電波は、無免許で使用することのできる微弱出力のものが、実用上、便利である。なお、この送信部の電源は、太陽電池、二次電池により構成されることが望ましいが、容量が不足する場合は、商用電源を使用するするようにしてもよい。この場合、配線が必要となるが、送信部は、路側信号灯１０より少数であるので、本発明の設置の容易性を著しく損なうことはない。
【００１９】
したがって、この路側信号灯システム２０では、送信部２１で、渋滞や対向車の接近等を感知すると、その手前に位置する路側信号灯１０，…が警報時の発光パターンとなり、走行中の車両に警報を伝達することができる。
【００２０】
上記路側信号灯システム２０では、送信部２１は、発信する電波の周波数、送信出力及び／又はアンテナの指向性により、制御すべき路側信号灯１０，…を選択しているが、制御部が、制御信号から、その路側信号灯への信号のみを識別するする識別機能を有する路側信号灯を用い、送信部が、この識別機能を用いて選択した路側信号灯のみに作動をさせるようにすることも可能である。
【実施例２】
【００２１】
図３に本発明の第２実施例の路側信号灯３０，…及びこれを用いて構成された本発明の第２実施例の路側信号灯システム４０を示す。
【００２２】
この路側信号灯３０は、前記路側信号灯１０と同様であるが、制御部の無線受信機が、無線ページャ、携帯電話等の公共無線通信を用いている。当然、この制御部は、制御信号から、その路側信号灯への信号のみを識別するする識別機能を有するものとなる。
【００２３】
この路側信号灯システム４０も、前記路側信号灯システム２０と同様であるが、送信部４１は、路側信号灯３０，…へ表示部の発光パターンを平常時から警報時へ切換えさせる制御信号を、無線ページャ、携帯電話等の公共無線通信を用いて、所定の路側信号灯３０，…のみへ発信する。
【００２４】
したがって、この路側信号灯システム４０でも、前記と同様、渋滞や対向車の接近等を感知すると、その手前に位置する路側信号灯３０，…が警報時の発光パターンとなり、走行中の車両に警報を伝達することができる。さらに、このシステムでは、無線ページャ、携帯電話等の公共無線通信を用いているので、山間地、カーブ等で、送信部の電波が直接路側信号灯まで届きにくい場合に、特に有効である。また、このシステムでは、道路を管理する管理本部で、この送信部の信号を受信することにより、あるいは、送信部の信号を直接炉側信号灯に送る代わりに、一旦管理本部で中継することにより、路側信号灯の状態を管理本部で把握することが可能となる。
【実施例３】
【００２５】
図４に本発明の第３実施例の路側信号灯５０，…及び本発明の第３実施例の路側信号灯システム６０を示す。
【００２６】
この路側信号灯５０は、前記路側信号灯１０と同様であるが、無線受信機で受信した制御信号を、他の近接する路側信号灯１０へ転送する送信機５３を有する。この送信機５３は、前記送信部２１と同様に、周波数、送信出力及び／又はアンテナの指向性により選択した所定の路側信号灯１０，…のみへ送信する。
【００２７】
この路側信号灯システム６０では、複数の前記第１実施例の路側信号灯１０，…及び路側信号灯５０,…が見通しの悪い道路に沿って、例えばガードレールに取付けて設置される。
【００２８】
これらの路側信号灯１０，…，５０,…の前方に、前記第１実施例の送信部２１が設置される。
【００２９】
したがって、この路側信号灯システム６０でも、前記と同様、渋滞や対向車の接近等を感知すると、その手前に位置する路側信号灯１０，…，５０が警報時の発光パターンとなり、さらに、この路側信号灯５０から転送された電波により、その手前に位置する路側信号灯１０，…も警報時の発光パターンとなる。このように電波を中継することにより、山間地、カーブ等で、送信部の電波が直接路側信号灯まで届きにくい場合にも、このシステムは使用可能となる。
【００３０】
上記路側信号灯システム５０では、路側信号灯５０で、電波を１回中継しているが、２回以上中継することも可能であることはいうまでもない。また、このシステムにおいても、送信部２１は、発信する電波の周波数等により制御すべき路側信号灯を選択しているが、制御部が、制御信号から、その路側信号灯への信号のみを識別するする識別機能を有する路側信号灯を用い、送信部が、この識別機能を用いて選択した路側信号灯のみに作動をさせるようにすることも可能である。
【実施例４】
【００３１】
図５に本発明の第４実施例の路側信号灯７０，…及び本発明の第４実施例の路側信号灯システム８０を示す。
【００３２】
この路側信号灯７０は、前記路側信号灯３０と同様であるが、無線受信機で受信した制御信号を、他の近接する路側信号灯１０へ転送する送信機７３を有する。この送信機７３は、前記送信部２１と同様に、周波数、送信出力及び／又はアンテナの指向性により選択した所定の路側信号灯１０，…のみへ送信する。
【００３３】
この路側信号灯システム８０では、複数の前記第１実施例の路側信号灯１０，…及び路側信号灯７０,…が見通しの悪い道路に沿って、例えばガードレールに取付けて設置される。
【００３４】
これらの路側信号灯１０，…，７０,…の前方に、前記第２実施例の送信部４１が設置される。
【００３５】
したがって、この路側信号灯システム７０でも、前記と同様、渋滞や対向車の接近等を感知すると、その手前に位置する路側信号灯７０が警報時の発光パターンとなり、さらに、この路側信号灯７０から転送された電波により、その付近に位置する路側信号灯１０，…も警報時の発光パターンとなる。無線ページャ、携帯電話等の公共無線通信を用い、また、電波を中継することとしているので、山間地、カーブ等で、送信部の電波が直接路側信号灯まで届きにくい場合に特に有効である。さらに、前記実施例２のシステムと同様にして、道路を管理する管理本部で、路側信号灯の状態を管理本部で把握することが可能である。
【図面の簡単な説明】
【００３６】
【図１】本発明の第１実施例の路側信号灯の斜視図である。
【図２】本発明の第１実施例の路側信号灯システムの説明図である。
【図３】本発明の第２実施例の路側信号灯システムの説明図である。
【図４】本発明の第３実施例の路側信号灯システムの説明図である。
【図５】本発明の第４実施例の路側信号灯システムの説明図である。
【符号の説明】
【００３７】
１０    路側信号灯
１１    表示部
１２    太陽電池
２０    路側信号灯システム
２１    送信部
３０    路側信号灯
３１    表示部
３２    太陽電池
４０    路側信号灯システム
４１    送信部
５０    路側信号灯
５１    表示部
５２    太陽電池
５３    送信機
６０    路側信号灯システム
７０    路側信号灯
７１    表示部
７２    太陽電池
７３    送信機
８０    路側信号灯システム
【図１】
2005092306.tif 000003
【図２】
2005092306.tif 000004
【図３】
2005092306.tif 000005
【図４】
2005092306.tif 000006
【図５】
2005092306.tif 000007